(57)【要約】【課題】足場に拠ることなくシャッター付サッシを取付けたり取外したりでき、取付作業のコストを低減すると共に安全に取付け及び取外しを行うことができる見栄えの良いシャッター付サッシの取付構造及び取付方法を提供する。【解決手段】建物の外壁５の開口部Ａに上下枠及び縦枠を方形状に枠組みしてなる主枠体１を取付けると共に、その上部にシャッター８０を納めたシャッターボックス部３を取付けてなるシャッター付サッシの取付構造において、上下補助枠と縦補助枠を方形状に枠組みしてなる補助枠体１０を開口部Ａに屋外側から取付け固定し、主枠体１は開口部Ａに屋内側から取付けると共に、補助枠体１０に屋内側から固定し、シャッターボックス部３は開口部Ａに屋内側から取付けると共に、補助枠体１０に屋内側から固定してなる。【選択図】　図１
2004044183.tif 000002
【特許請求の範囲】
【請求項１】
建物の外壁の開口部に上下枠及び縦枠を方形状に枠組みしてなる主枠体を取付けると共に、その上部にシャッターを納めたシャッターボックス部を取付けてなるシャッター付サッシの取付構造において、
上下補助枠と縦補助枠を方形状に枠組みしてなる補助枠体を上記開口部に屋外側から取付け固定し、上記主枠体は上記開口部に屋内側から取付けると共に、上記補助枠体に屋内側から固定し、上記シャッターボックス部は上記開口部に屋内側から取付けると共に、上記補助枠体に屋内側から固定することを特徴とするシャッター付サッシの取付構造。
【請求項２】
上記補助枠体の中間部に中補助枠を設け、上記主枠体は上記補助枠体における上記中補助枠より下部に屋内側から取付け固定し、上記シャッターボックス部は上記補助枠体における上記中補助枠より上部に屋内側から取付け固定することを特徴とする請求項１記載のシャッター付サッシの取付構造。
【請求項３】
上記補助枠体の下補助枠と縦補助枠及び中補助枠の屋内側面は連続して枠体固定部を形成すると共に、上記主枠体は上記枠体固定部に屋内側から当接固定する取付片を有することを特徴とする請求項２記載のシャッター付サッシの取付構造。
【請求項４】
上記シャッターボックス部はその屋外側面を上記外壁の屋内側面と略同一とすると共に、上記シャッターボックス部の屋外側面に上記外壁を構成する外壁材を当接固定することを特徴とする請求項１〜３記載のシャッター付サッシの取付構造。
【請求項５】
上記シャッターボックス部の屋内側面は上記シャッターボックス部から着脱可能な屋内カバーにより形成されていることを特徴とする請求項１〜４記載のシャッター付サッシの取付構造。
【請求項６】
上記屋内カバーの被取付部材を上記上補助枠に屋内側から固定し、上記被取付部材と上記上補助枠の上面を略同一平面として上記シャッターボックス部の上面部材を形成することを特徴とする請求項５記載のシャッター付サッシの取付構造。
【請求項７】
上記下補助枠は上記シャッターの当接部を有すると共に、水切部を一体形成していることを特徴とする請求項１〜６記載のシャッター付サッシの取付構造。
【請求項８】
建物の外壁の開口部に上下枠及び縦枠を方形状に枠組みしてなる主枠体を取付け、その上部にシャッターを納めたシャッターボックス部を取付けてなるシャッター付サッシの取付方法において、
上下補助枠と縦補助枠を方形状に枠組みしてなる補助枠体を上記開口部に屋外側から取付け固定し、次に上記主枠体を上記開口部に屋内側から取付けると共に、上記補助枠体に屋内側から固定し、次いで上記シャッターボックス部を上記開口部に屋内側から取付けると共に、上記補助枠体に屋内側から固定するようにしたことを特徴とするシャッター付サッシの取付方法。
【発明の詳細な説明】
【０００１】
【発明の属する技術分野】
本発明は、建物の開口部に設けられるシャッター付サッシの取付構造及び取付方法に関し、特にサッシ及びシャッターの取付作業を屋内側から行うことのできるシャッター付サッシの取付構造及び取付方法に関する。
【０００２】
【従来の技術】
建物の開口部に設けられるシャッター付サッシは、建物の外壁に固定される枠体と、その枠体の中に納められる障子及び枠体の上部に設けられるシャッターボックス部とからなっている。枠体は、上枠と下枠及び左右の縦枠からなり、これらを枠組みして形成される。また、障子は上框と下框及び左右の縦框を框組みして形成され、その中にガラス体を納めてなる。さらに、シャッターボックス部は箱形に形成され、内部にシャッター及び軸受けを納めている。
【０００３】
このようなシャッター付サッシを建物に取付けるための構造は以下のようなものである。すなわち、枠組みされた枠体はその四周に枠体から突出したフィン部を有し、そのフィン部と建物の外壁とをネジ等によって固定する。ここで、建物の外壁は屋外側に面していることから、フィン部を外壁に取付けるには建物の屋外側から固定する必要がある。また、シャッターボックス部は外壁の屋外側に設けられ、屋外側から外壁に固定する。
【０００４】
【発明が解決しようとする課題】
しかし、従来のシャッター付サッシの取付構造及び取付方法は以下に述べる問題点を有していた。
枠体及びシャッターボックス部を建物の開口部に屋外側から取付けるには足場に拠らなければならない。これにはコストがかかると共に、枠体やシャッターボックス部は重量が大きいために高所での作業には危険が伴う。また、建物のリフォームを行う際に、サッシの取替えを行う場合があり、サッシを取り外すときにも足場を組むことが必要になる。さらに、枠体やシャッターボックス部は外壁に直接取付けられるので、取替えの際にサッシを取り外すには外壁を一部取り壊す必要があり、外壁を施工し直さなければならなくなって、手間及びコストをかける必要がある。さらにまた、シャッターボックス部は外壁の屋外側に取付けられるので、建物を屋外側から見た場合に外壁から突出した部分を有することになり、見栄えを悪くすることになる。
【０００５】
本発明は、上記従来の問題点に鑑みてなされたものであり、足場に拠ることなくシャッター付サッシを取付けたり取外したりでき、取付作業のコストを低減すると共に安全に取付け及び取外しを行うことができる見栄えの良いシャッター付サッシの取付構造及び取付方法を提供することを目的とする。
【０００６】
【課題を解決するための手段】
上記目的を達成するため請求項１記載の本発明は、建物の外壁の開口部に上下枠及び縦枠を方形状に枠組みしてなる主枠体を取付けると共に、その上部にシャッターを納めたシャッターボックス部を取付けてなるシャッター付サッシの取付構造において、上下補助枠と縦補助枠を方形状に枠組みしてなる補助枠体を上記開口部に屋外側から取付け固定し、上記主枠体は上記開口部に屋内側から取付けると共に、上記補助枠体に屋内側から固定し、上記シャッターボックス部は上記開口部に屋内側から取付けると共に、上記補助枠体に屋内側から固定することを特徴として構成されている。
【０００７】
また、請求項２記載の本発明は、請求項１記載の本発明において、上記補助枠体の中間部に中補助枠を設け、上記主枠体は上記補助枠体における上記中補助枠より下部に屋内側から取付け固定し、上記シャッターボックス部は上記補助枠体における上記中補助枠より上部に屋内側から取付け固定することを特徴として構成されている。
【０００８】
さらに、請求項３記載の本発明は、請求項２記載の本発明において、上記補助枠体の下補助枠と縦補助枠及び中補助枠の屋内側面は連続して枠体固定部を形成すると共に、上記主枠体は上記枠体固定部に屋内側から当接固定する取付片を有することを特徴として構成されている。
【０００９】
さらにまた、請求項４記載の本発明は、請求項１〜３記載の本発明において、上記シャッターボックス部はその屋外側面を上記外壁の屋内側面と略同一とすると共に、上記シャッターボックス部の屋外側面に上記外壁を構成する外壁材を当接固定することを特徴として構成されている。
【００１０】
そして、請求項５記載の本発明は、請求項１〜４記載の本発明において、上記シャッターボックス部の屋内側面は上記シャッターボックス部から着脱可能な屋内カバーにより形成されていることを特徴として構成されている。
【００１１】
また、請求項６記載の本発明は、請求項５記載の本発明において、上記屋内カバーの被取付部材を上記上補助枠に屋内側から固定し、上記被取付部材と上記上補助枠の上面を略同一平面として上記シャッターボックス部の上面部材を形成することを特徴として構成されている。
【００１２】
さらに、請求項７記載の本発明は、請求項１〜６記載の本発明において、上記下補助枠は上記シャッターの当接部を有すると共に、水切部を一体形成していることを特徴として構成されている。
【００１３】
さらにまた、請求項８記載の本発明は、建物の外壁の開口部に上下枠及び縦枠を方形状に枠組みしてなる主枠体を取付け、その上部にシャッターを納めたシャッターボックス部を取付けてなるシャッター付サッシの取付方法において、上下補助枠と縦補助枠を方形状に枠組みしてなる補助枠体を上記開口部に屋外側から取付け固定し、次に上記主枠体を上記開口部に屋内側から取付けると共に、上記補助枠体に屋内側から固定し、次いで上記シャッターボックス部を上記開口部に屋内側から取付けると共に、上記補助枠体に屋内側から固定するようにしたことを特徴として構成されている。
【００１４】
【発明の実施の形態】
以下、本発明の実施形態を図面に沿って詳細に説明する。図１は本実施形態におけるシャッター付サッシの縦断面図である。また、図２は本実施形態におけるシャッター付サッシの横断面図である。これら各図において本発明に係るシャッター付サッシは、開口部Ａに装着された上枠２０、下枠３０、及び縦枠４０、４０からなる主枠体１内に、上框５０、下框６０、及び縦框７０、７０からなる框体２にガラス体９０を納めた一対の障子４を引違い状に走行自在に納めると共に、主枠体１の上部にシャッター８０を納めたシャッターボックス部３を設けてなるものである。
【００１５】
主枠体１を構成する各枠材は、複合型の枠材であり、ベースとなる金属枠１４とその屋内側露出部分を覆う樹脂枠１５とから構成されている。すなわち、金属枠１４は、金属上枠２１、金属下枠３１、金属縦枠４１、４１を方形状に枠組みして構成され、樹脂枠１５は、樹脂上枠２２、樹脂下枠３２、樹脂縦枠４２、４２を方形状に枠組みして構成されている。そして、上記樹脂上枠２２は金属上枠２１に、樹脂下枠３２は金属下枠３１に、樹脂縦枠４２、４２は金属縦枠４１、４１に、それぞれ取付けられている。金属上枠２１と金属下枠３１及び金属縦枠４１、４１には、それぞれ係止片が設けられ、樹脂上枠２２と樹脂下枠３２及び樹脂縦枠４２、４２はそれらに係合された上で、ネジによって固定される。
【００１６】
一方、障子４は、主枠体１の屋外側に配される外障子１３ａと屋内側に配される内障子１３ｂとからなり、上下及び左右の框材を方形状に框組みしてなる框体２内にガラス体９０を納めている。ここで、ガラス体９０は押縁部材９１を介して屋外側を金属框１７によって、屋内側を樹脂框１８によって保持されている。また、外障子１３ａの屋外側には網戸９６が取付けられている。框体２を構成する各框材は、上記主枠体１と同様に、金属框１７とその屋内側露出部分を覆うように取付けられた樹脂框１８とで構成されている。すなわち、上記樹脂上框５２は金属上框５１に、樹脂下框６２は金属下框６１に、樹脂縦框７２、７２は金属縦框７１、７１に、それぞれ取り付けられている。金属上框５１、金属下框６１、及び金属縦框７１、７１には、それぞれ係止片が設けられ、樹脂上框５２，樹脂下框６２及び樹脂縦框７２、７２はそれらに係合された上で、ネジによって固定される。
【００１７】
また、金属框１７には水密材９４が設けられて、この水密材９４を主枠体１に当接させることで、雨水の屋内側への浸入を防いでいる。水密材９４は、金属上框５１においてはその上端部、すなわち障子４の屋外側上端部の内面側に設けられ、金属上枠２１若しくは樹脂上枠２２に当接される。また、金属下框６１においてはその下端部、すなわち障子４の屋外側下端部の内面側に設けられ、金属下枠３１若しくは樹脂下枠３２に当接される。さらに金属縦框７１、７１においては縦枠側端部、すなわち障子４の屋外側左右端部の内面側に設けられ、金属縦枠４１、４１に当接される。
【００１８】
なお、上記金属枠１４及び金属框１７は通常アルミの押出し型材にて成型され、また樹脂枠１５及び樹脂框１８は塩化ビニルやアクリル樹脂等から成型される。このように樹脂枠１５にて金属枠１４の屋内側露出部分を覆うと共に、樹脂框１８にて金属框１７の屋内側露出部分を覆うことにより、金属による冷たい感じを隠し、また熱伝導率の低い樹脂によって断熱効果を向上させている。また、これらの樹脂材には、木材粉等を混入させて、外観上あたかも木材で形成されているかの観を呈することもできる。
【００１９】
また、金属下枠３１にはレール９２、９２が形成され、外障子１３ａ及び内障子１３ｂの下端部に設けられた戸車９３、９３がその上に載置されて、外障子１３ａ及び内障子１３ｂはいずれも横方向に走行自在とされる。
【００２０】
主枠体１の上部に設けられるシャッターボックス部３は、建物の外壁５の屋内側に横長の直方体状に形成され、その屋外側は合板からなる外壁材８９に固定するための補強部材８６からなり、上面は上面部材８５からなると共に、屋内側は上面部材８５に係合固定される屋内カバー８３からなっている。シャッターボックス部３の内部には、シャッター８０を巻き取る軸受８２が設置されている。また、シャッター８０は、スラット８１とその下端部に設けられるボトムスラット８７とからなっており、スラット８１のもう一方の端部は上記軸受８２に固定される。
【００２１】
次に、補助枠体１０について説明する。図３〜６は本実施形態における各断面図の要部拡大図である。図３及び図４は中補助枠１１付近を、図５は下補助枠３３付近を、図６は縦補助枠４３付近をそれぞれ示している。また、図７は本発明の実施形態における主枠体１とシャッターボックス部３及び補助枠体１０の上部拡大組立図である。すなわち、図７は主枠体１のうち上枠２０の部分と、シャッターボックス部３を補助枠体１０に取付ける部分のみを示している。下枠３０と縦枠４０、４０についても上枠２０と同様に補助枠体１０と固定される。ただし、下枠３０と縦枠４０、４０において取付部材２８は用いられない。
【００２２】
上補助枠２３と下補助枠３３及び縦補助枠４３、４３は、方形状に枠組みされると共に、その上下方向中間に中補助枠１１及び外壁材固定補助枠１２を設けて補助枠体１７を形成する。中補助枠１１と外壁材固定補助枠１２とは、それぞれの下面が略同一となる高さに設けられ、中補助枠１１は縦補助枠４３、４３の屋内端部に固定されると共に、外壁材固定補助枠１２は縦補助枠４３、４３の屋外端部に固定される。
【００２３】
中補助枠１１と下補助枠３３及び縦補助枠４３、４３の各屋内側面１９ａ、１９ａ、１９ａ、１９ａは、枠組みされた状態で同一平面上において四周に連続しており、図７に示すように枠体固定部１９を形成する。主枠体１は上枠２０と下枠３０及び縦枠４０、４０にそれぞれ取付片２５、３５、４５、４５を有しており、この枠体固定部１９に屋内側から取付け固定される。これによって、上枠２０は中補助枠１１に、下枠３０は下補助枠３３に、縦枠４０、４０は縦補助枠４３、４３にそれぞれ屋内側から固定される。
【００２４】
また、中補助枠１１と上補助枠２３及び縦補助枠４３、４３に囲まれた部分にはシャッターボックス部３が設けられる。上補助枠２３とシャッターボックス部３の取付構造について図３に沿って説明する。ここで、上補助枠２３の上面は、その屋外側端部において屋外側に突出しており、その突出部の屋外側端部に上補助枠２３の上面と垂直上方に延びる取付フィン２６ａを有している。この取付フィン２６ａは、取付孔を有しており、ビス９によって屋外側から外壁５に固定される。また、取付フィン２６ａは上補助枠２３の上面と垂直下方にも延びており、上補助枠２３の屋外側面と下方に開いた断面略コ字形となって外壁材保持部２６ｂを形成する。また、外壁材固定補助枠１２には上方に開いた断面略コ字形の外壁材保持部１２ａが形成される。これらの外壁材保持部１２ａ、２６ｂに外壁５と同じ部材からなる外壁材８９が保持固定される。外壁５及び外壁材８９の屋外側には防水シート８により、防水加工がなされ、さらに外装材６が設けられる。
【００２５】
上補助枠２３の下面の屋内側端部近傍には被取付部材８４がネジ２７によって下方、すなわち屋内側から固定されている。被取付部材８４は、上補助枠２３と上面が略同一平面となるように形成されており、上補助枠２３と被取付部材８４の組合わせによって、シャッターボックス部３の上面部材８５を形成している。なお、被取付部材８４は、樹脂枠１５や樹脂框１８と同様に樹脂からなり、塩化ビニルやアクリル樹脂等によって成型される。
【００２６】
上補助枠２３の下面には、シャッターボックス部３を外壁材８９に固定するための補強材８６がネジにより下方から固定される。補強材８６は、断面略Ｌ字状に形成されており、シャッターボックス部３の長手方向略全長に渡って横長状に形成される。なお、補強材８６は、長手方向に短い帯板状に複数形成し、シャッターボックス部３の長手方向に一定間隔毎に設けるようにしてもよい。補強材８６の外壁材８９との固定面は、シャッターボックス部３の屋外側面を形成し、外壁材８９にはネジによって当接固定される。
【００２７】
また、被取付部材８４の屋内側端部には、被係合部８４ａが形成されており、この被係合部８４ａには、屋内カバー８３の上端部屋外側に設けられた係合部８３ａを係合し屋内カバー８３を屋内側から取付ける。屋内カバー８３は、シャッターボックス部３の屋内側面を形成し、その下面において樹脂上枠２２にネジ止めされる。
【００２８】
次に、補助枠体１０と枠体１との取付構造について説明する。図４に示すように中補助枠１１は、その断面を方形状に形成され、内部は中空状とされている。金属上枠２１は中補助枠１１の屋内側面１９ａと接する取付片２５を有し、該取付片２５と中補助枠１１の屋内側面１９ａとはネジ２７によって固定される。これによって、上枠２０は中補助枠１１に屋内側から固定される。ここで、取付片２５と中補助枠１１との間には防水パッキン９５を挟んで、補助枠体１０と主枠体１との隙間からの雨水の浸入を防いでいる。また、金属上枠２１には取付部材２８が固定される。取付部材２８は、縦断面略Ｌ字状に形成される。また、金属上枠２１に接する面にはネジ孔を有し、樹脂上枠２２及び金属上枠２１とネジによって固定されると共に、その屋外側端部には係合部２８ａを有し、金属上枠２１の係合部２８ｂと係合して固定される。この取付部材２８において中補助枠１１の屋内側面１９ａと接する面と中補助枠１１の屋内側面１９ａとはネジ２７によって固定される。すなわち、中補助枠１１と金属上枠２１及び樹脂上枠２２とは取付部材２８を介して固定される。
【００２９】
図５に示すように下補助枠３３は、その断面を階段状に形成され、内部は中空状とされている。また、その下面には下方に突出する取付フィン３６を有している。取付フィン３６は取付孔を有しており、下補助枠３３はビス９によって建物の外壁５に固定される。また、下補助枠３３が取付けられた外壁５の外面には防水シート８によって防水加工が施され、その外面には外装材６が設けられる。
【００３０】
金属下枠３１には下補助枠３３の屋内側面１９ａと接する取付片３５を有し、該取付片３５と下補助枠３３の屋内側面１９ａとはネジ３７によって固定される。これによって、下枠３０は下補助枠３３に屋内側から固定される。ここで、取付片３５と下補助枠３３との間には防水パッキン９５を挟んで、補助枠体１０と主枠体１との隙間からの雨水の浸入を防いでいる。
【００３１】
また、金属下枠３１は、外壁５に固定するための取付フィン３６よりも屋外側に延びて水切部３８を一体形成している。水切部３８は外装材６よりも屋外側まで延出されることで、雨水等を屋外に排出し、外壁５と外装材６との接合部分を直接雨水等にさらさないようにすることができる。さらに、金属下枠３１は、上記水切部３８の屋内側に段差を有し、この段差はシャッター８０のボトムスラット８７に略適合する形状とされてなり、シャッター８０を下ろした際のボトムスラット８７の当接部３９を形成する。
【００３２】
図６に示すように縦補助枠４３は、その断面を方形状に形成され、内部は中空状とされている。また、パネル框材７に接する面の屋外側端部に屋外側に突出した部分を有し、さらにその突出部分から垂直に取付フィン４６が設けられている。この取付フィン４６は取付孔を有しており、縦補助枠４３はビス９によって建物の外壁５に固定される。さらに、縦補助枠４３が取付けられた外壁５の外面には防水シート８によって防水加工が施され、その外面には外装材６が設けられる。
【００３３】
金属縦枠４１には縦補助枠４３の屋内側面１９ａと接する取付片４５を有し、該取付片４５と縦補助枠４３の屋内側面１９ａとはネジ４７によって固定される。これによって、縦枠３０は縦補助枠４３に屋内側から固定される。ここで、取付片４５と縦補助枠４３との間には防水パッキン９５を挟んで、補助枠体１０と主枠体１との隙間からの雨水の浸入を防いでいる。
【００３４】
左右の縦補助枠４３、４３には、それぞれシャッター８０を上下方向に案内するシャッターレール８８、８８が固定される。シャッターレール８８はその屋内側面に固定片８８ａを有しており、縦補助枠４３の突出片４３ｂにネジによって固定される。また、シャッターレール８８は被係合部８８ｂを有し、縦補助枠４３の係合片４３ａとの係合によっても固定される。
【００３５】
次に、サッシの屋内側に設けられる化粧枠１６について説明する。補助枠体１０を建物の開口部Ａに設け、その枠体固定部１９に主枠体１の取付フィンを固定すると、補助枠体１０の屋内側と主枠体１及び建物の外壁５との間に連結部空間が生じる。この空間には化粧枠１６が設けられて、屋内側からサッシを見た場合に見栄えのよいサッシとすることができる。また、この空間は下枠及び縦枠に生じるので、化粧枠１６は下枠及び縦枠にそれぞれ設けられる。なお、化粧枠１６は樹脂枠１５や樹脂框１８と同様に樹脂からなり、塩化ビニルやアクリル樹脂等によって成型される。
【００３６】
これらの化粧枠１６は、それぞれ屋内側からサッシを見て補助枠体１０が見えないように上記空間を略覆うように形成され、その断面は中空状に形成される。また、下化粧枠３４は、主枠体１の左右方向略全長に渡って設けられ、縦化粧枠４４、４４は、主枠体１の上下方向略全長に渡って設けられる。さらに、下化粧枠３４は樹脂下枠３２に、縦化粧枠４４、４４は樹脂縦枠４２、４２にそれぞれネジによって固定される。
【００３７】
次に、本発明に係るシャッター付サッシを建物の開口部Ａに取付ける際の取付方法について説明する。
まず、外壁５に補助枠体１０が固定される。補助枠体１０は建物の開口部Ａの四周に固定される。この際に、上補助枠２３の外壁材保持部２６ｂと外壁材固定補助枠１２の外壁材保持部１２ａとの間には外壁材８９が固定される。補助枠体１０は、外壁５の外面にビス９によって取付けられるので、建物の屋外側に設けられた足場に拠って取付作業がなされる。なお、外壁パネル製造工場において、外壁５の製造段階であらかじめ外壁５に補助枠体１０を取付けることもできる。このようにすれば、建築現場で足場に拠り補助枠体１０の取付作業を行うことが不要になる。
【００３８】
次に、外装材６の取付けを行う。まず、外壁５と外装材６との接触面に雨水等を浸入させないように防水処理を行う。すなわち、外壁５の外面に防水シート８を設ける。この防水シート８は、建物の開口部Ａの四周に設けられ、上記補助枠体１０の取付フィンも覆い被せるように配置する。このようにして防水処理された外壁５の外面に、上記外装材６を取付ける。
【００３９】
次に、主枠体１を補助枠体１０に固定する。上下及び縦枠を枠組みした主枠体１は屋内側から、上枠２０の取付片２５と中補助枠１１をネジ２７によって、下枠３０の取付片３５と下補助枠３３をネジ３７によって、縦枠４０、４０の取付片４５、４５と縦補助枠４３、４３をネジ４７、４７によって、それぞれ固定する。主枠体１を補助枠体１０に取付けたら、主枠体１と補助枠体１０及びパネル框材７とに囲まれた空間に化粧枠１６を取付ける。下化粧枠３４及び縦化粧枠４４は、それぞれ樹脂下枠３２及び樹脂縦枠４２にネジによって固定される。
【００４０】
続いて、シャッターボックス部３を取付ける。まず、上補助枠２３と外壁材８９に補強部材８６を屋内側からネジによって固定する。また、シャッター８０の軸受８２及びスラット８１を取付けると共に、縦補助枠４３にシャッターレール８８を取付ける。次に、上補助枠２３に被取付部材８４をネジによって固定する。さらに、屋内カバー８３を屋内側から取付ける。屋内カバー８３は、その係合部８３ａと被取付部材８４の被係合部８４ａとを係合させると共に、その下端部において主枠体１の樹脂上枠２２とネジ止めすることで取付けられる。すなわち、この方法によれば、シャッターボックス部３は全て屋内側から取付作業をすることができる。
【００４１】
この方法においては、補助枠体１０を屋外側の足場に拠って取付ける必要はあるものの、補助枠体１０は軽量であり、その取付けは比較的容易なので、重量の大きい主枠体１やシャッターボックス部３を足場に拠って取付ける場合よりも安全に作業を行うことができる。また、主枠体１やシャッターボックス部３の屋内側露出部分は外壁５に直接固定されるわけではないので、建物のリフォームの際など主枠体１やシャッターボックス部３を取替える場合に、外装材６や外壁５を傷めることなく取替えできる。
【００４２】
これまで本発明の一実施形態について説明したが、本発明は上記に示した実施形態に限定されず、その技術的思想の範囲内において種々異なる形態にて実施されてよいものである。例えば、本実施形態においては、本発明を横走行自在な引き違い障子に適用したものを示したのに対し、一方若しくは両方の障子が固定され、いわゆる嵌め殺し窓とされたものに適用することもできる。また、本実施形態においては、金属枠及び金属框の屋内側露出部分を樹脂枠及び樹脂框によって覆った、いわゆる複合窓に本発明を適用しているのに対し、金属枠及び金属框のみからなる窓に本発明を適用することもできる。さらに、化粧枠についても本実施形態においては樹脂からなるのに対して、金属により形成するようにしてもよい。
【００４３】
また、本発明をテラスタイプの窓に適用することもできる。図８は、本発明をテラスタイプの窓に適用した場合のサッシ下部拡大図である。この場合においては、上枠１０及び縦枠４０の構造は上記実施形態と略同一である。下枠３０は、図８に示すように、外障子１３ａの下端と内障子１３ｂの下端及び床材９７の上面とが略同一面上となるように形成される。また、床材９７は樹脂下枠３２と直接ネジによって固定されるため、窓タイプに関する上記実施形態と異なり、下化粧枠を設ける必要はない。
【００４４】
【発明の効果】
以上のように、請求項１記載の本発明によれば、補助枠体を開口部に屋外側から取付け固定し、主枠体は開口部に屋内側から取付けると共に、補助枠体に屋内側から固定し、シャッターボックス部は開口部に屋内側から取付けると共に、補助枠体に屋内側から固定するので、枠組みした主枠体やシャッターボックス部を建物の屋内側から開口部に固定することができ、足場に拠ることなく安全に取付作業を行うことができるという効果がある。また、外壁に直接固定されるのは補助枠体であるために、外壁を傷めることなく主枠体やシャッターボックス部を取替えることができるという効果がある。さらに、シャッターをメンテナンスする場合に屋内側から行うことができるという効果がある。
【００４５】
また、請求項２記載の本発明によれば、主枠体は補助枠体において中補助枠より下部に屋内側から取付け固定し、シャッターボックス部は中補助枠より上部に屋内側から取付け固定することにより、中補助枠に主枠体の上枠が固定されるので、シャッターが無い場合と同様に主枠体を強固に固定することができるという効果がある。
【００４６】
また、請求項３記載の本発明によれば、補助枠体の下補助枠と縦補助枠及び中補助枠の屋内側面は連続して枠体固定部を形成すると共に、主枠体は枠体固定部に屋内側から当接固定する取付片を有することにより、主枠体を固定する枠体固定部が屋内側に面していると共に、その枠体固定部は四周に連続しており一平面からなるので、枠組みした主枠体を補助枠体に取付ける作業を容易に行うことができるという効果がある。
【００４７】
さらに、請求項４記載の本発明によれば、シャッターボックス部はその屋外側面を外壁の屋内側面と略同一とすると共に、シャッターボックス部の屋外側面に外壁を構成する外壁材を当接固定することにより、シャッターボックス部は外壁より屋内側に設けられるので、屋外側からその存在が見えず、これによって意匠性を向上させることができるという効果がある。
【００４８】
さらにまた、請求項５記載の本発明によれば、シャッターボックス部の屋内側面は上記シャッターボックス部から着脱可能な屋内カバーにより形成されていることにより、屋内カバーを取外すことで屋内側から容易にシャッターのメンテナンスを行うことができるという効果がある。
【００４９】
そして、請求項６記載の本発明によれば、屋内カバーの被取付部材を上補助枠に屋内側から固定し、被取付部材と上補助枠の上面を略同一平面としてシャッターボックス部の上面部材を形成することにより、部材数を少なくすることができ、コストを抑えることができるという効果がある。
【００５０】
また、請求項７記載の本発明によれば、下補助枠は上記シャッターの当接部を有すると共に、水切部を一体形成していることにより、下補助枠はシャッター付サッシの下部材としての機能を有し、部材数を少なくすることができるので、コストを抑えることができるという効果がある。
【００５１】
さらに、請求項８記載の本発明によれば、補助枠体を開口部に屋外側から取付け固定し、次に主枠体を補助枠体に屋内側から固定し、次いでシャッターボックス部を補助枠体に屋内側から固定するようにしたことにより、主枠体及びシャッターボックス部を屋内側から容易に取付けることができるという効果がある。
【図面の簡単な説明】
【図１】本発明の実施形態におけるシャッター付サッシの縦断面図である。
【図２】本発明の実施形態におけるシャッター付サッシの横断面図である。
【図３】本発明の実施形態におけるシャッター付サッシ縦断面図の上部拡大図である。
【図４】本発明の実施形態における中補助枠と主枠体の取付構造を示した拡大図である。
【図５】本発明の実施形態におけるシャッター付サッシ縦断面図の下部拡大図である。
【図６】本発明の実施形態におけるシャッター付サッシ横断面図の端部拡大図である。
【図７】本発明の実施形態における主枠体とシャッターボックス部及び補助枠体の上部拡大組立図である。
【図８】本発明をテラスタイプの窓に適用した場合のシャッター付サッシ縦断面図の下部拡大図である。
【符号の説明】
１　　主枠体
２　　框体
３　　シャッターボックス部
４　　障子
５　　外壁
１０　　補助枠体
１１　　中補助枠
１２　　外壁材固定補助枠
１９　　枠体固定部
１９ａ　屋内側面
２０　　上枠
２３　　上補助枠
２５　　取付片
３０　　下枠
３３　　下補助枠
３５　　取付片
３８　　水切部
３９　　当接部
４０　　縦枠
４３　　縦補助枠
４５　　取付片
８０　　シャッター
８３　　屋内カバー
８４　　被取付部材
８５　　上面部材
８９　　外壁材
Ａ　　　開口部
【図１】
2004044183.tif 000003
【図２】
2004044183.tif 000004
【図３】
2004044183.tif 000005
【図４】
2004044183.tif 000006
【図５】
2004044183.tif 000007
【図６】
2004044183.tif 000008
【図７】
2004044183.tif 000009
【図８】
2004044183.tif 000010